【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
放射線を電荷に変換するための変換素子と前記電荷に基づく電気信号を出力するためのスイッチ素子とを有する画素が行列状に複数配列された画素領域と、列方向の複数の前記スイッチ素子に接続され行方向に複数配置された信号配線と、を有する変換部と、
前記画素領域外に設けられた容量素子と、
複数の前記信号配線毎に設けられた複数の第１の演算増幅器と、前記容量素子に電気的に接続された第２の演算増幅器と、を含み、行単位で前記画素からの電気信号と前記容量素子からの電気信号とを並列に読み出すための読み出し回路部と、
前記読み出し回路部によって並列に読み出された前記第１の演算増幅器からの電気信号と前記第２の演算増幅器からの信号とを用いて補正処理する補正部と、
を有する放射線撮像装置。
【請求項２】
前記読み出し回路部は、前記第１及び第２の演算増幅器と電気的に接続されたサンプルホールド回路部と、前記サンプルホールド回路部からの並列信号を直列信号に変換するマルチプレクサと、を更に有し、
前記補正部は、少なくとも前記サンプルホールド回路部の後段に設けられることを特徴とする請求項１に記載の放射線撮像装置。
【請求項３】
前記容量素子は２つの電極を有し、一方の電極は前記第２の演算増幅器に接続され、他方の電極は前記第１の演算増幅器に基準電圧を与えるための基準電源又は前記画素にバイアスを与えるためのバイアス電源に接続されていることを特徴とする請求項１又は２に記載の放射線撮像装置。
【請求項４】
前記読み出し回路部の後段に設けられ、アナログの直列信号をデジタル信号に変換するＡ／Ｄ変換器を更に有し、
前記補正部は、前記Ａ／Ｄ変換器の後段に設けられることを特徴とする請求項１〜３のいずれか１項に記載の放射線撮像装置。
【請求項５】
前記読み出し回路部は複数設けられ、
前記容量素子は前記読み出し回路部にそれぞれ設けられていることを特徴とする請求項１〜４のいずれか１項に記載の放射線撮像装置。
【請求項６】
前記スイッチ素子を導通するための導通電圧を有する駆動信号を前記スイッチ素子に出力するための駆動回路部を更に有し、
前記変換部は、行方向の前記複数のスイッチ素子と前記駆動回路部に接続された駆動配線を更に有することを特徴とする請求項１〜５のいずれか１項に記載の放射線撮像装置。
【請求項７】
前記変換素子は、
放射線を光に変換する波長変換体と、
前記変換された光を電荷に変換する光電変換素子と、を有することを特徴とする請求項１〜６のいずれか１項に記載の放射線撮像装置。
【請求項８】
前記スイッチ素子は、絶縁性基板上に設けられた薄膜トランジスタであることを特徴とする請求項１〜７のいずれか１項に記載の放射線撮像装置。
【請求項９】
放射線を電荷に変換するための変換素子と前記電荷に基づく電気信号を出力するためのスイッチ素子とを有する画素が行列状に複数配列された画素領域と、列方向の複数の前記スイッチ素子に接続され行方向に複数配置された信号配線と、を有する変換部と、
前記画素領域外に設けられた容量素子と、
複数の前記信号配線毎に設けられた複数の第１の演算増幅器と、前記容量素子に電気的に接続された第２の演算増幅器と、を含み、行単位で前記画素からの電気信号と前記容量素子からの電気信号とを並列に読み出すための読み出し回路部と、
を有する放射線撮像装置の駆動方法であって、
前記読み出し回路部によって並列に読み出された前記第１の演算増幅器からの電気信号と前記第２の演算増幅器からの信号とを用いて補正処理する補正ステップを有することを特徴とする放射線撮像装置の駆動方法。
【請求項１０】
放射線を電荷に変換するための変換素子と前記電荷に基づく電気信号を出力するためのスイッチ素子とを有する画素が行列状に複数配列された画素領域と、列方向の複数の前記スイッチ素子に接続され行方向に複数配置された信号配線と、を有する変換部と、
前記画素領域外に設けられた容量素子と、
複数の前記信号配線毎に設けられた複数の第１の演算増幅器と、前記容量素子に電気的に接続された第２の演算増幅器と、を含み、行単位で前記画素からの電気信号と前記容量素子からの電気信号とを並列に読み出すための読み出し回路部と、
を有する放射線撮像装置のステップをコンピュータに実行させるためのプログラムであって、
前記読み出し回路部によって並列に読み出された前記第１の演算増幅器からの電気信号と前記第２の演算増幅器からの信号とを用いて補正処理する補正ステップをコンピュータに実行させるためのプログラム。
【手続補正２】
【補正対象書類名】明細書
【補正対象項目名】００１４
【補正方法】変更
【補正の内容】
【００１４】
本発明の放射線撮像装置は、放射線を電荷に変換するための変換素子と前記電荷に基づく電気信号を出力するためのスイッチ素子とを有する画素が行列状に複数配列された画素領域と、列方向の複数の前記スイッチ素子に接続され行方向に複数配置された信号配線と、を有する変換部と、前記画素領域外に設けられた容量素子と、複数の前記信号配線毎に設けられた複数の第１の演算増幅器と、前記容量素子に電気的に接続された第２の演算増幅器と、を含み、行単位で前記画素からの電気信号と前記容量素子からの電気信号とを並列に読み出すための読み出し回路部と、前記読み出し回路部によって並列に読み出された前記第１の演算増幅器からの電気信号と前記第２の演算増幅器からの信号とを用いて補正処理する補正部とを有する。
【手続補正３】
【補正対象書類名】明細書
【補正対象項目名】００１５
【補正方法】変更
【補正の内容】
【００１５】
本発明の放射線撮像装置の駆動方法は、放射線を電荷に変換するための変換素子と前記電荷に基づく電気信号を出力するためのスイッチ素子とを有する画素が行列状に複数配列された画素領域と、列方向の複数の前記スイッチ素子に接続され行方向に複数配置された信号配線と、を有する変換部と、前記画素領域外に設けられた容量素子と、複数の前記信号配線毎に設けられた複数の第１の演算増幅器と、前記容量素子に電気的に接続された第２の演算増幅器と、を含み、行単位で前記画素からの電気信号と前記容量素子からの電気信号とを並列に読み出すための読み出し回路部と、を有する放射線撮像装置の駆動方法であって、前記読み出し回路部によって並列に読み出された前記第１の演算増幅器からの電気信号と前記第２の演算増幅器からの信号とを用いて補正処理する補正ステップを有することを特徴とする。
【手続補正４】
【補正対象書類名】明細書
【補正対象項目名】００１６
【補正方法】変更
【補正の内容】
【００１６】
本発明のプログラムは、放射線を電荷に変換するための変換素子と前記電荷に基づく電気信号を出力するためのスイッチ素子とを有する画素が行列状に複数配列された画素領域と、列方向の複数の前記スイッチ素子に接続され行方向に複数配置された信号配線と、を有する変換部と、前記画素領域外に設けられた容量素子と、複数の前記信号配線毎に設けられた複数の第１の演算増幅器と、前記容量素子に電気的に接続された第２の演算増幅器と、を含み、行単位で前記画素からの電気信号と前記容量素子からの電気信号とを並列に読み出すための読み出し回路部と、を有する放射線撮像装置のステップをコンピュータに実行させるためのプログラムであって、前記読み出し回路部によって並列に読み出された前記第１の演算増幅器からの電気信号と前記第２の演算増幅器からの信号とを用いて補正処理する補正ステップをコンピュータに実行させるためのプログラムである。